(57)【要約】【課題】  携帯端末機で電子メール文書作成時に、容易に文字サイズの変更ができるようにする。【解決手段】  送信側端末１の文字サイズ変更処理手段３は、カーソルキーの押下方向に応じて横方向と縦方向の拡大縮小を行い、送信データ生成回路５は、拡大縮小された文章の電子メール送信要求を受けて拡大縮小された部分の文字コードの前後に付加情報をつけて送信する。受信側端末７は、無線部８を介して受信した文章の電子メールを、受信データ再生回路９で再生し、文字データ表示装置１０で付加情報と付加情報で挟まれた部分の文字コードを付加情報で指定されたサイズで拡大縮小して表示する。【選択図】      図１
2005157453.tif 000002
【特許請求の範囲】
【請求項１】
移動端末機にあって前記移動端末機上で作成された文章の任意に指定された範囲の文字を任意の文字サイズに変更することを特徴とする移動端末機における文字サイズ変更方法。
【請求項２】
前記変更は、横方向と縦方向を別々に行うことを特徴とする請求項１記載の移動端末機における文字サイズ変更方法。
【請求項３】
前記横方向と前記縦方向の前記変更は、カーソルキーの押下方向に応じて行うことを特徴とする請求項２記載の移動端末機における文字サイズ変更方法。
【請求項４】
前記変更された文章の電子メール送信要求を受けて、前記変更された部分の文字コードの前後に付加情報をつけて送信することを特徴とする請求項１または２または３記載の移動端末機における文字サイズ変更方法。
【請求項５】
前記付加情報は、前記文字コードの前がフラグと前記横方向のサイズ指定情報と前記縦方向のサイズ指定情報からなり、前記文字コードの後が前記フラグで構成されることを特徴とする請求項４記載の移動端末機における文字サイズ変更方法。
【請求項６】
前記変更された文章の電子メールを受信して、前記付加情報で挟まれた部分の前記文字コードを前記付加情報で指定されたサイズに変更して表示することを特徴とする請求項５または６記載の移動端末機における文字サイズ変更方法。
【請求項７】
移動端末機にあって前記移動端末機上で作成された文章の任意に指定された範囲の文字を任意の文字サイズに変更する文字サイズ変更処理手段を含んで構成されることを特徴とする移動端末機。
【請求項８】
前記文字サイズ変更処理手段は、前記変更を横方向と縦方向に別々に行うことを特徴とする請求項７記載の移動端末機。
【請求項９】
前記文字サイズ変更処理手段は、カーソルキーの押下方向に応じて前記横方向と前記縦方向の前記変更を行うことを特徴とする請求項８記載の移動端末機。
【請求項１０】
前記移動端末機は、前記変更された文章の電子メール送信要求を受けて前記変更された部分の文字コードの前後に付加情報をつけて送信する送信データ生成回路を含んで構成されることを特徴とする請求項７または８または９記載の移動端末機。
【請求項１１】
前記付加情報は、前記文字コードの前がフラグと前記横方向のサイズ指定情報と前記縦方向のサイズ指定情報からなり、前記文字コードの後が前記フラグで構成されることを特徴とする請求項１０記載の移動端末機。
【請求項１２】
前記移動端末機は、前記変更された文章の電子メールを受信して、前記付加情報と前記付加情報で挟まれた部分の前記文字コードを前記付加情報で指定されたサイズに変更して表示する文字データ表示装置を含んで構成されることを特徴とする請求項１０または１１記載の移動端末機。
【発明の詳細な説明】
【技術分野】
【０００１】
本発明は移動端末機における文字サイズ変更方法及び移動端末機に関し、特に、電子メール文書作成時に、キー数の少ない携帯電話機で簡易な方法で文字サイズを自在に変更できる移動端末機における文字サイズ変更方法及び移動端末機に関する。
【背景技術】
【０００２】
近年の携帯端末機の文字サイズは固定サイズで何種類かをあらかじめ持っており、ユーザーが指定できるような仕組みになっている。サイズはだいたい小・標準・大の３種類に分類される。
【０００３】
これらはシステム全体の文字表示サイズになるため、携帯端末機の各アプリケーションはその設定にしたがって文字サイズが表示される。
【０００４】
携帯端末機の表示装置は一般的に小型であり、画面に表示できる情報量は限られている。
【０００５】
仮に多くの情報を表示しようとするならば文字サイズを小に設定すれば、画面に表示される情報量は増える反面、文字の視認性が低下することがある。
【０００６】
また、高齢者など視力が衰えたユーザーにとっては、文字サイズが大きくないと携帯端末機では文字をはっきりと見ることができない。文字の視認性が向上する反面、１画面に表示される情報量は少なくなり、画面のスクロールが長くなることがある。
【０００７】
そこで標準文字サイズが主に使われることが多い。
【０００８】
そして現在のユーザー間のコミュニケーションは通話のみならず電子メールが増加しており、携帯端末機の需要は大きく成長した。
【０００９】
しかし、携帯端末機では本体サイズの制約からハードウェア（ＣＰＵ、メモリなど）の搭載には限界があり、パソコンやワードプロセッサのような表現力豊かな文書を作成することができない。電子メールでは前述のシステムで準備された文字サイズでの表示しかできない。
【００１０】
そのかわり携帯端末機には独自の文字コードを割り当て「絵文字」という携帯端末機独自の文字を搭載するようになった。この「絵文字」により気分や感情などの雰囲気を相手側に伝えることが可能になった。
【００１１】
しかし前述のとおり、文字サイズは固定であり、強調したり文字修飾をすることはできなかった。
【００１２】
そこで、携帯端末機の電子メール文書を表現力豊かにするために、電子メール文章に下記に示すような付加情報を入力して文字データに関連付けして送信し、受信側でその文字データと付加情報を再生することにより、表現力豊かな電子メール文書を再現可能とした携帯電話機及び電子メール文章送信／再生方法が考案されている（例えば、特許文献１参照。）。 
・文字の色
・フォント
・サイズ（大きさ）
・音声の調子
・音声の強弱及びイントネーション
【特許文献１】特開２００２−２０７６７１号公報
【発明の開示】
【発明が解決しようとする課題】
【００１３】
上述した特開２００２−２０７６７１号公報による方法では、電子メール文書の表現方法を変える場合、１文字ずつ個別の操作で付加情報を付与しなければならず、ユーザーの負荷が大きいという問題があった。
【００１４】
また、電子メール文章の表現方法として、例えば文字サイズの変更を選んだ場合でも、作成側ではできあがった文章の状態を確認することが出来ず、できばえを想像するしかないという問題があった。
【００１５】
本発明の目的は、キー数の少ない携帯端末機で電子メール文書作成時に、容易に文字サイズの変更ができ、また、できあがった状態をそのまま送信でき、ユーザーにとって使いやすく、効率的な移動端末機における文字サイズ変更方法及び移動端末機を提供するものである。
【課題を解決するための手段】
【００１６】
本願の第１の発明は、移動端末機にあって前記移動端末機上で作成された文章の任意に指定された範囲の文字を任意の文字サイズに変更することを特徴とする。
【００１７】
本願の第２の発明は、第１の発明での前記変更は、横方向と縦方向を別々に行うことを特徴とする。
【００１８】
本願の第３の発明は、第２の発明にて前記横方向と前記縦方向の前記変更は、カーソルキーの押下方向に応じて行うことを特徴とする。
【００１９】
本願の第４の発明は、第１または第２または第３の発明にて前記変更された文章の電子メール送信要求を受けて、前記変更された部分の文字コードの前後に付加情報をつけて送信することを特徴とする。
【００２０】
本願の第５の発明は、第４の発明の前記付加情報は、前記文字コードの前がフラグと前記横方向のサイズ指定情報と前記縦方向のサイズ指定情報からなり、前記文字コードの後が前記フラグで構成されることを特徴とする。
【００２１】
本願の第６の発明は、第４または第５の発明の前記変更された文章の電子メールを受信して、前記付加情報で挟まれた部分の前記文字コードを前記付加情報で指定されたサイズに変更して表示することを特徴とする。
【００２２】
本願の第７の発明は、移動端末機にあって前記移動端末機上で作成された文章の任意に指定された範囲の文字を任意の文字サイズに変更する文字サイズ変更処理手段を含んで構成されることを特徴とする。
【００２３】
本願の第８の発明は、第７の発明の前記文字サイズ変更処理手段は、前記変更を横方向と縦方向に別々に行うことを特徴とする。
【００２４】
本願の第９の発明は、第８の発明の前記文字サイズ変更処理手段は、カーソルキーの押下方向に応じて前記横方向と前記縦方向の前記変更を行うことを特徴とする。
【００２５】
本願の第１０の発明は、第７または第８または第９の発明にて前記移動端末機は、前記変更された文章の電子メール送信要求を受けて前記変更された部分の文字コードの前後に付加情報をつけて送信する送信データ生成回路を含んで構成されることを特徴とする。
【００２６】
本願の第１１の発明は、第１０の発明の前記付加情報は、前記文字コードの前がフラグと前記横方向のサイズ指定情報と前記縦方向のサイズ指定情報からなり、前記文字コードの後が前記フラグで構成されることを特徴とする。
【００２７】
本願の第１２の発明は、第１０または第１１の発明の前記移動端末機は、前記変更された文章の電子メールを受信して、前記付加情報と前記付加情報で挟まれた部分の前記文字コードを前記付加情報で指定されたサイズに変更して表示する文字データ表示装置を含んで構成されることを特徴とする。
【発明の効果】
【００２８】
以上説明したように、本発明は、キー数の少ない携帯端末機で電子メール文書作成時に、容易に文字サイズの変更ができ、また、できあがった状態をそのまま送信でき、ユーザーにとって使いやすく、効率的な移動端末機における文字サイズ変更方法及び移動端末機を提供するが出来る効果がある。
【発明を実施するための最良の形態】
【００２９】
次に、本発明を実施するための最良の形態について図面を参照して詳細に説明する。
【００３０】
図１は、本発明の一実施の形態を示す移動端末機における文字サイズ変更方法及び移動端末機における文字サイズ変更方式のブロック図、図２〜図４は、本発明の一実施の形態を示す動作説明図である。
【００３１】
図１を参照すると、本発明の一実施の形態の移動端末機における文字サイズ変更方式は、送信側端末１と、通信網１１と、受信側端末７から構成され、送信側端末１は、文字サイズ情報入力装置２、文字サイズ変更処理部３、文字データ入力装置４、送信データ生成回路５、無線部６とから構成され、受信側端末７は、無線部８、受信データ再生回路９、文字データ表示装置１０から構成される。
【００３２】
文字データ入力装置４は、電子メール文書を作成する場合に使用する文字入力キーである。
【００３３】
文字サイズ情報入力装置２は、作成された電子メール文書の文字サイズを変更する指定や、変更する範囲や、変更するサイズの情報を入力する手段であり、具体的には、カーソルキーや確定キー等である。
【００３４】
文字サイズ変更処理部３は、文字サイズ情報入力装置２によって指定された文字サイズを変更する範囲と変更するサイズの情報（両者を併せて文字サイズ変更情報と呼ぶ）に従って、画面に表示されているメール文書の文字を変更し、文字サイズ変更情報を送信データ生成回路５に入力する手段である。
【００３５】
送信データ生成回路５は、送信される文字データと、文字サイズデータを関係づけ、それらのデータを無線仕様に適合するデータに変換する手段である。
【００３６】
無線部６は、送信データ生成回路５で作成された送信データを通信網１１に送信する手段である。
【００３７】
無線部８は、通信網１１から送信側端末１から送信された無線送信データを受信し、受信データ再生回路９に入力する手段である。
【００３８】
受信データ再生回路９は、受信した無線データを文字データと、文字サイズ変更情報へ変換する手段である。
【００３９】
文字データ表示装置１０は、受信データ再生回路９から入力された文字データと、文字サイズ変更情報から指定された文字サイズに拡大縮小して表示する手段である。
【００４０】
次に、本発明の各ブロックの実施形態につき、図１〜図４を参照して動作を詳細に説明する。
【００４１】
まず、図１の送信側端末１は、文字データ入力装置４により電子メール文書が作成され、画面に標準サイズで表示されているものとする。次に、文字サイズ情報入力装置２により文字サイズ変更情報（変更する範囲や、変更するサイズの情報）が入力されると、文字サイズ変更処理部３において、表示されている電子メール文書が横軸（Ｘ軸方向）と縦軸（Ｙ軸方向）へ指定された範囲が指定されたサイズの拡大、縮小処理される。
【００４２】
メール本文の拡大、縮小処理が完了し、電子メール送信要求が入力されたら、送信データ生成回路５、無線部６及び、通信網１１を介して受信側端末７に、文字サイズ情報を付与された電子メール文書が送信される。
【００４３】
図２は、送信側端末１の動作説明図である。
【００４４】
文字データ入力装置４から入力された文字データ１２が、文字サイズ情報入力装置２により入力される。文字サイズ変更処理部３により内部データ化された文字サイズ変更範囲を示す範囲指定情報１３と、変更する文字サイズの情報を示す文字サイズ情報１４とが送信データ生成回路５に送られる。送信データ生成回路５は、範囲指定情報で示される範囲の文字データと、文字サイズ情報１４を関係づけて編集する。編集されたデータが送信回路１５にて無線仕様に適合するデータに変換され、無線部６に送られる。
【００４５】
範囲指定情報１３は、例えば、「おはよう」という文字の開始位置と終了位置を示す情報であり、例えば、最初の文字からの文字数(何番目）で示される。送信データ生成回路５は、範囲指定情報１３で示される位置の文字列の頭と終わりに文字サイズ変更情報を付加する。
【００４６】
図３は、送信データ生成回路５で編集される文字サイズ変更情報と文字情報の基本構造を示すものであり、「範囲指定開始フラグ」「Ｘ方向文字サイズ情報」「Ｙ方向文字サイズ情報」「文字コード」「範囲指定終了フラグ」という情報で構成される。
【００４７】
「範囲指定開始フラグ」及び「範囲指定終了フラグ」は１バイトの情報エリアで、範囲指定をしない場合、すなわち１文字の場合は「０」、範囲指定をした場合は「１」が格納される。
【００４８】
「Ｘ方向文字サイズ情報」及び「Ｙ方向文字サイズ情報」は１ビットの情報エリアで、Ｘ軸（横）方向とＹ（縦）方向への拡大した数値が格納される。標準時はともに「１」が格納されているが、文字サイズを変更した場合は、変更した方向の情報エリアに指定された文字サイズの値が格納される。
【００４９】
「文字コード」は入力された文字のＪＩＳコードが格納される。
【００５０】
実際の文字情報の格納例として、単体の文字「お」を２×４倍角にした例１、文字列「おはよう」を範囲指定して２×４倍角にしたものが例２として示す。
【００５１】
例１では範囲指定開始フラグと範囲指定終了フラグがともに「０」として格納されている。これは「範囲指定なし」という状態を示しており、次の「Ｘ方向文字サイズ情報」には「２」が、「Ｙ方向文字サイズ情報」には「４」が格納され、次に「お」のＪＩＳコードである「０ｘ８２ａ８」が格納されている。
【００５２】
これは「『お』を２×４倍角で表示する」ということを示している。
【００５３】
例２では範囲指定フラグと範囲指定終了フラグがともに「１」として格納されている。
【００５４】
範囲指定は任意の文字列を指定できるため、開始点と終了点を明示するためにシステム側でフラグを用いて判断する。例２では「おはよう」という文字列を範囲指定して２×４倍角に指定したため、範囲指定開始フラグに「１」が格納され、続いてＸ方向文字サイズに「２」が、Ｙ方向文字サイズに「４」が格納され「おはよう」という文字列のＪＩＳコードが続けて格納され、最後に範囲指定終了フラグが「１」が格納される。
【００５５】
次に、受信側端末７では、送信されてきた付加情報を受信データ再生回路９にてデータを復元し、文字データ表示装置１０に、拡大／縮小された文字（文字列）を表示する。
【００５６】
図４は、受信側端末７の動作説明図である。
【００５７】
受信データ再生回路９は、無線部８から受信した無線データを受信回路１６にて文字データと、文字サイズ変更データへ変換し、文字データ表示装置１０は、受信データ再生回路９から入力された文字データを文字サイズ変更データから指定された文字サイズで表示する。
【００５８】
次に、本発明の文字サイズの拡大縮小の操作につき図５のフローチャートを用いて詳細に説明する。
【００５９】
送信側端末１のユーザーは電子メール文書の作成を開始する（Ｓ１）。ユーザーは文字サイズを変更したい部分で、携帯端末機の［メニュー］キーを押下する。［メニュー］キーを押下するとメニュー画面が表示される。メニュー画面には「文字サイズ変更」と「文字列サイズ変更」の選択肢がある。ユーザーは[↓][↑]キーでサイズ変更方法を選択し［●］ボタンを押下する（Ｓ２、Ｓ３）。
「文字列サイズ変更」を選択した場合は、［←］［→］キーで範囲指定の終了部分にカーソルを移動する。終了部分で再度［メニュー］キーを押下する（Ｓ４、Ｓ５）。
【００６０】
文字サイズを変更する部分が決定したら文字サイズ変更処理（Ｓ６）に遷移する。
【００６１】
文字サイズの変更はカーソルキーを判断することによって行われる（Ｓ７）。
【００６２】
文字サイズの変更方法はＸ軸（横）方向とＹ軸（縦）方向に行える。
１） 横方向に拡大する場合
［→］キーを押下する毎に基本文字サイズの等倍サイズで横方向に拡大される。
【００６３】
（Ｓ８−２）
［←］キーを押下する毎に基本文字サイズの等倍サイズで横方向に縮小される。
【００６４】
（Ｓ８−１）
２） 縦方向に拡大する場合
［↑］キーを押下する毎に基本文字サイズの等倍サイズで縦方向に拡大される。
【００６５】
（Ｓ９−２）
［↓］キーを押下する毎に基本文字サイズの等倍サイズで縦方向に縮小される。
【００６６】
（Ｓ９−１）
※最小文字サイズは１倍×１倍（標準文字）とする。
【００６７】
文字サイズの変更を終了する場合は［●］キーを押下する。それにより文字サイズが確定する（Ｓ１１）。
【００６８】
電子メール文書の作成を完了したら電子メール文書を送信する（Ｓ１３）。
【００６９】
上述の実施の形態では、文字の修飾として文字サイズの拡大縮小について説明したが、修飾できる情報として、文字の色、フォントなどもある。フォントに関しては近年の携帯端末機でも何種類か内蔵しており、文字列格納方法にフォント情報フラグの格納エリアを準備することにより、文書中に混在させることも可能である。
【００７０】
また、色についても携帯電話機で表現できる色数（最近では６５５３５色程度）を１６進数で管理し、文字色格納エリアを準備することにより文書中の文字色を変更することも可能である。
【００７１】
それらの変更手法については、メニュー画面に「色指定」「フォント指定」のようなメニューを追加して、ユーザーに選択させることにより実現可能である。
【００７２】
指定方法は前述の単独文字と範囲指定の２種類を可能とし、当該メニュー選択後にさらにサブメニューで「単独文字」「範囲指定」などを表示させ、選択させればよい。
【００７３】
以上説明したように、本発明は、キー数の少ない携帯端末機で電子メール文書作成時に、容易に文字サイズの変更、確認ができ、また、できあがった状態をそのまま送信でき、ユーザーにとって使いやすく、効率的な文字サイズ変更方法を提供することが出来る。
【図面の簡単な説明】
【００７４】
【図１】本発明の一実施の形態を示すブロック図である。
【図２】本発明の送信側端末１の一実施の形態を示す動作説明図である。
【図３】本発明の文字サイズ変更情報と文字情報の基本構造を示す図である。
【図４】本発明の受信側端末７の一実施の形態を示す動作説明図である。
【図５】本発明の文字サイズの拡大縮小の操作を示すフロー図である。
【符号の説明】
【００７５】
１    送信側端末
２    文字サイズ情報入力装置
３    文字サイズ変更処理部
４    文字データ入力装置
５    送信データ生成回路
６    無線部
７    受信側端末
８    無線部
９    受信データ再生回路
１０    文字データ表示装置
１１    通信網
１２    文字データ
１３    範囲指定情報
１４    文字サイズ情報
１５    送信回路
１６    受信回路
【図１】
2005157453.tif 000003
【図２】
2005157453.tif 000004
【図３】
2005157453.tif 000005
【図４】
2005157453.tif 000006
【図５】
2005157453.tif 000007